(57)【要約】【課題】デジタルカメラとプリンタを直接つなぎ、いろいろデザインされた印刷用アルバム用紙に直接デジタルカメラ内の写真を簡単に印刷すること。【解決手段】自由にデザインされた各種のアルバム用紙の中から好みのアルバム用紙を購入し、デジタルカメラ１１とプリンタ１２をつないで、デジタルカメラ１１内の写真を印刷するに際して、プリンタ１２に付属のスキャナで予めアルバム用紙をスキャンして、アルバム用紙内の印刷情報および写真印刷位置を判別し、デジタルカメラ１１内の写真を順次、取得した写真位置に、印刷情報を元に当該アルバム用紙に最適な印刷を行う。【選択図】　　　　図１
2004114464.tif 000002
【特許請求の範囲】
【請求項１】
読取バッファ及び印刷バッファを備えた印刷動作および読取動作が行える印刷手段と、
静止画を複数枚撮影可能な撮像手段と、
前記印刷手段で、印刷情報及び一つ以上の写真印刷領域が存在するアルバム用紙を読取バッファに読み取るアルバム用紙読取手段と、
該アルバム用紙読取手段で読み取ったデータ内に前記印刷情報が存在するか否かを判別する印刷情報判別手段と、
該印刷情報判別手段で存在すると判定された場合に当該印刷情報を解析してデジタルデータに変換する印刷情報解析手段と、
該印刷情報解析手段で解析されたデジタルデータを記憶する印刷情報記憶手段と、
前記写真印刷領域を前記アルバム用紙読取手段で読み取りながら当該位置及びサイズを取得する写真印刷領域位置取得手段と、
該写真印刷領域位置取得手段で取得した写真印刷領域の位置及びサイズを記憶する写真印刷位置記憶手段と、
前記印刷手段と前記撮像手段を接続してデータの送受信を可能にする通信手段と、
前記撮像手段内の一つひとつ以上の静止画データを前記印刷手段に前記通信手段を介して順次取得する静止画データ取得手段と、
該静止画データ取得手段で取得した静止画データを前記印刷手段内のメモリへビットマップに展開する展開手段と、
前記写真印刷位置記憶手段で記憶された写真印刷領域位置を元に前記印刷手段内の印刷バッファ内の写真印刷領域に対応した位置へ前記印刷情報記憶部で記憶された印刷情報を元に画像補正を施して順次コピーする印刷バッファ展開手段とを備え、
前記印刷情報記憶手段で記憶された印刷情報を元に前記印刷バッファ展開手段で展開された印刷バッファの内容で前記印刷手段に印刷することを特徴とする印刷装置。
【請求項２】
前記印刷情報は、前記アルバム用紙内で写真印刷領域よりも上余白側に位置することを特徴とする請求項１に記載の印刷装置。
【請求項３】
前記印刷情報は、文字列等のデジタルデータに変換可能な形態で前記アルバム用紙内に印刷されていることを特徴とする請求項１に記載の印刷装置。
【請求項４】
前記印刷情報は、当該アルバム用紙を識別するためのコード、用紙サイズ、印刷モード、画像補正情報を含むデータで構成されていることを特徴とする請求項１に記載の印刷装置。
【請求項５】
前記写真印刷領域は、前記アルバム読取手段で読み取ったデータ内で写真印刷領域外と写真印刷領域内の区別が付く形態を成していることを特徴とする請求項１に記載の印刷装置。
【請求項６】
読取バッファ及び印刷バッファを備えた印刷動作および読取動作が行える印刷手段と、静止画を複数枚撮影可能な撮像手段を備えた印刷装置における印刷方法であって、
前記印刷手段で前記アルバム用紙を読取バッファに読み取るアルバム用紙読取ステップと、
該アルバム用紙読取ステップで読み取ったデータ内に前記印刷情報が存在するか否かを判別する印刷情報判別ステップと、
該印刷情報判別ステップで存在すると判定された場合に当該印刷情報を解析してデジタルデータに変換する印刷情報解析ステップと、
該印刷情報解析ステップで解析されたデジタルデータを記憶する印刷情報記憶ステップ手段と、
前記写真印刷領域を前記アルバム用紙読取手段で読み取りながら当該位置及びサイズを取得する写真印刷領域位置取得ステップと、
該写真印刷領域位置取得ステップで取得した写真印刷領域の位置及びサイズを記憶する写真印刷位置記憶ステップと、
前記印刷手段と前記撮像手段を接続してデータの送受信を可能にする通信ステップと、
前記撮像手段内の一つひとつ以上の静止画データを前記印刷手段に前記通信ステップを介して順次取得する静止画データ取得ステップと、
該静止画データ取得ステップで取得した静止画データを前記印刷手段内のメモリへビットマップに展開する展開ステップと、
前記写真印刷位置記憶ステップで記憶された写真印刷領域位置を元に前記印刷手段内の印刷バッファ内の写真印刷領域に対応した位置へ前記印刷情報記憶部で記憶された印刷情報を元に画像補正を施して順次コピーする印刷バッファ展開ステップとを備え、
前記印刷情報記憶ステップで記憶された印刷情報を元に前記印刷バッファ展開ステップで展開された印刷バッファの内容で前記印刷手段に印刷することを特徴とする印刷方法。
【請求項７】
前記印刷情報は、前記アルバム用紙内で写真印刷領域よりも上余白側に位置することを特徴とする請求項６に記載の印刷方法。
【請求項８】
前記印刷情報は、文字列等のデジタルデータに変換可能な形態で前記アルバム用紙内に印刷されていることを特徴とする請求項６に記載の印刷方法。
【請求項９】
前記印刷情報は、当該アルバム用紙を識別するためのコード、用紙サイズ、印刷モード、画像補正情報を含むデータで構成されていることを特徴とする請求項６に記載の印刷方法。
【請求項１０】
前記写真印刷領域は、前記アルバム読取手段で読み取ったデータ内で写真印刷領域外と写真印刷領域内の区別が付く形態を成していることを特徴とする請求項６に記載の印刷方法。
【請求項１１】
画像出力装置と通信するプリンタであって、
記録媒体の印刷領域を判別する判別手段と、
該判別手段によって判別された印刷領域の情報を前記画像出力装置に伝送する伝送手段と、
前記画像出力装置から、前記印刷領域に応じた印刷情報を受信する受信手段と、
該受信手段により受信した印刷情報に基づき印刷する印刷手段と
を有することを特徴とするプリンタ。
【請求項１２】
前記判別手段は、画像読み取り手段であり、前記記録媒体を読み取って前記印刷媒体上の印刷領域を判別することを特徴とする請求項１１に記載のプリンタ。
【請求項１３】
画像出力装置と通信するプリンタにおける印刷方法であって、
記録媒体の印刷領域を判別する判別ステップと、
該判別ステップによって判別された印刷領域の情報を前記画像出力装置に伝送する伝送ステップと、
前記画像出力装置から、前記印刷領域に応じた印刷情報を受信する受信ステップと、
該受信ステップにより受信した印刷情報に基づき印刷する印刷ステップと
を有することを特徴とするプリンタにおける印刷方法。
【発明の詳細な説明】
【０００１】
【発明の属する技術分野】
本発明は、印刷装置及びその方法に関し、より詳細には、例えば、デジタルカメラとプリンタを直接つないで印刷するダイレクトプリントに関し、特に、アルバム用紙上の印刷情報および写真印刷位置をプリンタ内で判別して自動的に最適な印刷条件でデジタルカメラ内の写真データをアルバム用紙の所定の位置に順次印刷していく印刷装置及びその方法に関する。
【０００２】
【従来の技術】
従来のダイレクトプリントでは、例えば、定型のＡ４用紙にデジタルカメラ内の写真の一覧を印刷するインデックス印刷や、例えば、定型のＡ４用紙に１枚とか複数枚の写真を定まった位置に印刷していく形態が存在した。
【０００３】
また、写真以外の領域に決まったイメージを写真と同時に印刷していく形態も存在した（例えば、特許文献１参照）。
【０００４】
【特許文献１】
特開平１１−３５３４６６号公報
【０００５】
【発明が解決しようとする課題】
従来のように、定型用紙に理路整然と印刷していく形態では、写真を際立たせるために写真の背景にデザインを施す手法が存在するが、この形態では上述した手法が取れないため、アルバムとしての見て楽しむ要素に欠けるという欠点があった。また、上述した特開平１１−３５３４６６号公報のように、写真と同時にイメージを印刷する形態においては、予めプリンタ内に所定のイメージを格納して置く場合や、または外部記憶カードなどを用いて当該イメージを取得しなければならず、自由なデザインを格安の値段で得られることが出来ないという問題があった。
【０００６】
そこで、自由にデザインされた各種のアルバム用紙の中から好みのアルバム用紙を購入し、例えば、デジタルカメラとプリンタをつないで、デジタルカメラ内の写真を印刷するに際して、プリンタに付属のスキャナで予めアルバム用紙をスキャンして、アルバム用紙内の印刷情報および写真印刷位置を判別し、デジタルカメラ内の写真を順次、取得した写真位置に印刷できるような印刷装置が要請されていた。
【０００７】
本発明は、このような問題に鑑みてなされたもので、その目的とするところは、自由なデザインのアルバム用紙にも印刷でき、さらにアルバム用紙さえあれば、格安に簡単な操作で印刷ができるようにした印刷装置及びその方法を提供することにある。
【０００８】
【課題を解決するための手段】
本発明は、このような目的を達成するために、請求項１に記載の発明は、読取バッファ及び印刷バッファを備えた印刷動作および読取動作が行える印刷手段と、静止画を複数枚撮影可能な撮像手段と、前記印刷手段で、印刷情報及び一つ以上の写真印刷領域が存在するアルバム用紙を読取バッファに読み取るアルバム用紙読取手段と、該アルバム用紙読取手段で読み取ったデータ内に前記印刷情報が存在するか否かを判別する印刷情報判別手段と、該印刷情報判別手段で存在すると判定された場合に当該印刷情報を解析してデジタルデータに変換する印刷情報解析手段と、該印刷情報解析手段で解析されたデジタルデータを記憶する印刷情報記憶手段と、前記写真印刷領域を前記アルバム用紙読取手段で読取りながら当該位置及びサイズを取得する写真印刷領域位置取得手段と、該写真印刷領域位置取得手段で取得した写真印刷領域の位置及びサイズを記憶する写真印刷位置記憶手段と、前記印刷手段と前記撮像手段を接続してデータの送受信を可能にする通信手段と、前記撮像手段内の一つひとつ以上の静止画データを前記印刷手段に前記通信手段を介して順次取得する静止画データ取得手段と、該静止画データ取得手段で取得した静止画データを前記印刷手段内のメモリへビットマップに展開する展開手段と、前記写真印刷位置記憶手段で記憶された写真印刷領域位置を元に前記印刷手段内の印刷バッファ内の写真印刷領域に対応した位置へ前記印刷情報記憶部で記憶された印刷情報を元に画像補正を施して順次コピーする印刷バッファ展開手段とを備え、前記印刷情報記憶手段で記憶された印刷情報を元に前記印刷バッファ展開手段で展開された印刷バッファの内容で前記印刷手段に印刷することを特徴とする。
【０００９】
また、請求項２に記載の発明は、請求項１に記載の発明において、前記印刷情報は、前記アルバム用紙内で写真印刷領域よりも上余白側に位置することを特徴とする。
【００１０】
また、請求項３に記載の発明は、請求項１に記載の発明において、前記印刷情報は、文字列等のデジタルデータに変換可能な形態で前記アルバム用紙内に印刷されていることを特徴とする。
【００１１】
また、請求項４に記載の発明は、請求項１に記載の発明において、前記印刷情報は、当該アルバム用紙を識別するためのコード、用紙サイズ、印刷モード、画像補正情報を含むデータで構成されていることを特徴とする。
【００１２】
また、請求項５に記載の発明は、請求項１に記載の発明において、前記写真印刷領域は、前記アルバム読取手段で読み取ったデータ内で写真印刷領域外と写真印刷領域内の区別が付く形態を成していることを特徴とする。
【００１３】
また、請求項６に記載の発明は、読取バッファ及び印刷バッファを備えた印刷動作および読取動作が行える印刷手段と、静止画を複数枚撮影可能な撮像手段を備えた印刷装置における印刷方法であって、前記印刷手段で前記アルバム用紙を読取バッファに読み取るアルバム用紙読取ステップと、該アルバム用紙読取ステップで読取ったデータ内に前記印刷情報が存在するか否かを判別する印刷情報判別ステップと、該印刷情報判別ステップで存在すると判定された場合に当該印刷情報を解析してデジタルデータに変換する印刷情報解析ステップと、該印刷情報解析ステップで解析されたデジタルデータを記憶する印刷情報記憶ステップ手段と、前記写真印刷領域を前記アルバム用紙読取手段で読み取りながら当該位置及びサイズを取得する写真印刷領域位置取得ステップと、該写真印刷領域位置取得ステップで取得した写真印刷領域の位置及びサイズを記憶する写真印刷位置記憶ステップと、前記印刷手段と前記撮像手段を接続してデータの送受信を可能にする通信ステップと、前記撮像手段内の一つひとつ以上の静止画データを前記印刷手段に前記通信ステップを介して順次取得する静止画データ取得ステップと、該静止画データ取得ステップで取得した静止画データを前記印刷手段内のメモリへビットマップに展開する展開ステップと、前記写真印刷位置記憶ステップで記憶された写真印刷領域位置を元に前記印刷手段内の印刷バッファ内の写真印刷領域に対応した位置へ前記印刷情報記憶部で記憶された印刷情報を元に画像補正を施して順次コピーする印刷バッファ展開ステップとを備え、前記印刷情報記憶ステップで記憶された印刷情報を元に前記印刷バッファ展開ステップで展開された印刷バッファの内容で前記印刷手段に印刷することを特徴とする。
【００１４】
また、請求項７に記載の発明は、請求項６に記載の発明において、前記印刷情報は、前記アルバム用紙内で写真印刷領域よりも上余白側に位置することを特徴とする。
【００１５】
また、請求項８に記載の発明は、請求項６に記載の発明において、前記印刷情報は、文字列等のデジタルデータに変換可能な形態で前記アルバム用紙内に印刷されていることを特徴とする。
【００１６】
また、請求項９に記載の発明は、請求項６に記載の発明において、前記印刷情報は、当該アルバム用紙を識別するためのコード、用紙サイズ、印刷モード、画像補正情報を含むデータで構成されていることを特徴とする。
【００１７】
また、請求項１０に記載の発明は、請求項６に記載の発明において、前記写真印刷領域は、前記アルバム読取手段で読み取ったデータ内で写真印刷領域外と写真印刷領域内の区別が付く形態を成していることを特徴とする。
【００１８】
また、請求項１１に記載の発明は、画像出力装置と通信するプリンタであって、記録媒体の印刷領域を判別する判別手段と、該判別手段によって判別された印刷領域の情報を前記画像出力装置に伝送する伝送手段と、前記画像出力装置から、前記印刷領域に応じた印刷情報を受信する受信手段と、該受信手段により受信した印刷情報に基づき印刷する印刷手段とを有することを特徴とする。
【００１９】
また、請求項１２に記載の発明は、請求項１１に記載の発明において、前記判別手段は、画像読み取り手段であり、前記記録媒体を読み取って前記印刷媒体上の印刷領域を判別することを特徴とする。
【００２０】
また、請求項１３に記載の発明は、画像出力装置と通信するプリンタにおける印刷方法であって、記録媒体の印刷領域を判別する判別ステップと、該判別ステップによって判別された印刷領域の情報を前記画像出力装置に伝送する伝送ステップと、前記画像出力装置から、前記印刷領域に応じた印刷情報を受信する受信ステップと、該受信ステップにより受信した印刷情報に基づき印刷する印刷ステップとを有することを特徴とする。
【００２１】
【発明の実施の形態】
以下、図面を参照して本発明の実施例について説明する。
図１は、本発明の印刷装置の一実施例を示すシステム構成図で、図中符号、１１はデジタルカメラで、アルバム用紙の印刷装置においては予めデジタルカメラ側で印刷する写真の設定を行っておく、１２は印刷ヘッドとスキャナヘッドが交換可能なプリンタで、スキャナヘッドを取り付けた場合には、プリンタ１２内の読取りバッファメモリ領域にスキャナヘッドで読み取られたデータがビットマップデータとして格納される。
【００２２】
また、印刷ヘッドを取り付けた場合は、プリンタ１２の所定の印刷バッファメモリ領域に印刷するビットマップデータを書き込むことにより印刷ヘッドを介して用紙に印刷される。１３はプリンタ１２とデジタルカメラ１１を接続するための接続線で、例えば、ＵＳＢケーブルやＲＳ２３２Ｃケーブル等が用いられる。
【００２３】
符号１４はプリンタ１２の電源ボタンで、プリンタ１２の電源ＯＮおよび電源ＯＦＦとして使用される。１５はプリンタ１２のリセットボタンで、プリンタの印刷を中止したい場合や、インクや用紙が無くなった場合等のプリンタのエラー解除を行うためのリセットボタンである。１６はプリンタ１２のアルバム読取ボタンで、図５に示すようなアルバム用紙Ｐ６の情報取得時に用いられる。
【００２４】
符号１７はプリンタのＬＥＤランプで、電源がＯＦＦの場合には消灯していて、電源がＯＮの場合には緑に点灯し、印刷中やプリンタが回復動作などの動作をしている時には緑に点滅し、プリンタにエラー等がある場合にはエラーの種別に対応した回数分オレンジ色に点滅する。
【００２５】
図２は、本発明の印刷装置の一実施例を示すブロック構成図で、図中符号１１はデジタルカメラで、静止画を複数枚撮影可能である。１２はプリンタで、読取バッファ及び印刷バッファを備えた印刷動作および読取動作を行うものである。Ｐ６は図４に示すようなアルバム用紙で、印刷情報及び一つ以上の写真印刷領域が存在する。
【００２６】
符号２１は、アルバム用紙読取部で、プリンタ１１でアルバム用紙Ｐ６を読取バッファに読み取るものである。２２は印刷情報判別部で、アルバム用紙読取部２１で読み取ったデータ内に印刷情報が存在するか否かを判別するものである。２３は印刷情報解析部で、印刷情報判別部２２で存在すると判定された場合に当該印刷情報を解析してデジタルデータに変換するものである。
【００２７】
２４は印刷情報記憶部で、印刷情報解析部２３で解析されたデジタルデータを記憶するものである。２５写真印刷領域位置取得部で、写真印刷領域をアルバム用紙読取部２１で読み取りながら当該位置及びサイズを取得するものである。２６は写真印刷位置記憶部で、写真印刷領域位置取得部２５で取得した写真印刷領域の位置及びサイズを記憶するものである。
【００２８】
符号２７は通信部で、プリンタ１２とデジタルカメラ１１を接続してデータの送受信を可能にするものである。２８は静止画データ取得部で、デジタルカメラ１１内の一つひとつ以上の静止画データをプリンタ１２に通信部２７を介して順次取得するものである。２９は展開部で、静止画データ取得部２８で取得した静止画データをプリンタ１２内のメモリへビットマップに展開するものである。３０は印刷バッファ展開部で、写真印刷位置記憶部２６で記憶された写真印刷領域位置を元にプリンタ１２内の印刷バッファ内の写真印刷領域に対応した位置へ、印刷情報記憶部２４で記憶された印刷情報を元に画像補正を施して順次コピーするものである。
【００２９】
このような構成により、印刷情報記憶部２４で記憶された印刷情報を元に印刷バッファ展開部３０で展開された印刷バッファの内容でプリンタ１２に印刷する。
【００３０】
本発明の実施例についてさらに詳細に以下に説明する。
図５は、本発明の実施例を説明するためのアルバム用紙を示す図である。
例えば、キャンプ場で写真を撮った場合のことを想定すると、まず、図５に示すように、キャンプ場が背景のアルバム用紙Ｐ６を購入する。次に、当該アルバム用紙Ｐ６上の印刷情報Ｐ１および写真印刷領域Ｐ２〜Ｐ４を判別するために、まずプリンタ１２の印刷ヘッドとスキャナヘッドを交換し、アルバム用紙Ｐ６を給紙トレーにセットして、アルバム読取ボタン１６を押すと、アルバム用紙Ｐ６を給紙して必要な情報をスキャナで自動的に取得する（図３のステップＳ１〜Ｓ６）。
【００３１】
次に、デジタルカメラ１１を操作して印刷する写真を指定し、必要な枚数のアルバム用紙Ｐ６を給紙トレーにセットして、スキャナヘッドを印刷ヘッドに交換して、デジタルカメラ１１をプリンタ１２に接続（図３のステップＳ７）すると印刷を開始し、順次写真をアルバム用紙Ｐ６の所定位置Ｐ２〜Ｐ４に印刷する（図３のステップＳ８）。なお、Ｐ５は背景イメージ、Ｐ１２〜Ｐ１４は写真印刷領域矩形線を示している。
【００３２】
図３は、本発明の実施例における印刷装置の動作を説明するためのフローチャートを示す図である。まず、購入したアルバム用紙Ｐ６上の印刷情報Ｐ１および写真印刷領域Ｐ２〜Ｐ４位置を取得するためにプリンタ１２に付属のスキャナでアルバム用紙Ｐ６を読み取る。
【００３３】
すなわち、ステップＳ１では、アルバム用紙Ｐ６を給紙トレーにセットし、印刷ヘッドが装着してあれば、まずスキャナヘッドに交換してからアルバム読取ボタン１６を押す。次に、ステップＳ２に進み、押されたボタンがアルバム読取ボタンでなければ、処理を終了する。アルバム読取ボタンであれば、ステップＳ３に進む。
【００３４】
ステップＳ３では、アルバム用紙Ｐ６を給紙して、まずアルバム用紙Ｐ６内の印刷情報Ｐ１領域を読み取る。すなわち、本印刷装置における印刷情報Ｐ１領域は、アルバム用紙Ｐ６内で写真印刷領域Ｐ２〜Ｐ４よりも上余白側に位置し、アルバム用紙Ｐ６内で所定の位置に存在する構成のため、まず、この印刷情報Ｐ１領域が存在するかを判別するため、アルバム用紙Ｐ６上で所定の位置をスキャンし、ステップＳ４に進む。
【００３５】
次に、ステップＳ４では、スキャンした結果の読取データを判別する。すなわち、読み取られたデータ内に、図４で示すような形態の文字列が存在すれば、ステップＳ５に進み、存在しなければ、アルバム用紙Ｐ６を排紙してＬＥＤに対応するエラー表示して処理を終了する。
【００３６】
なお、文字の判別方法については公知の方式を用いて処理するものとする。また、図４で示すような文字列は「−」で区切られた形態を成し、「ＺＺＺ」は当該アルバム用紙を識別するためのコード、続く「ｓ．．．．ｓ」は用紙サイズを規定し、続く「ｍ．．ｍ」は印刷モード、すなわち当該アルバム用紙Ｐ６に印刷する場合の最適なパス数および印刷方向を規定し、最後の「ｋ．．．．ｋ」は入力される画像データへの画像補正情報を示す。
【００３７】
すなわち、デジタルカメラで撮影された写真の色表現空間と、アルバム用紙およびプリンタのインクから表現される色表現空間を最適な色表現域に調整するための補正情報である。この情報を元にデジタルカメラから入力された画像データをプリンタに最適なデータへ変換される。
【００３８】
次に、ステップＳ５では、図４で示すような形態の文字列から印刷情報を記憶する。すなわち、用紙サイズ、印刷モード、画像補正関係情報をプリンタ内の所定のメモリへ記憶し、ステップＳ６に進む。
【００３９】
次に、ステップＳ６では、写真印刷領域Ｐ２〜Ｐ４をスキャンしながら当該位置を取得していく。すなわち、スキャン毎に矩形線Ｐ１２〜Ｐ１４で囲まれ、矩形線内が白色である写真印刷領域Ｐ２〜Ｐ４を前スキャン内容との連続性を見ながら判別して行き、用紙端までスキャンし終えると、判別された写真印刷領域の左上位置、および当該横縦サイズをプリンタＥ２内の所定のメモリに記憶し、アルバム用紙Ｐ６を排紙してステップＳ７へ進む。なお、矩形線で囲まれた領域をビットマップデータから取得する方法は公知の方法で行う。
【００４０】
次に、ステップＳ７では、ユーザがプリンタとデジタルカメラを所定のケーブルで接続するのを待つ。ケーブルが接続されると、まず、両機器のネゴシエーションを行い、接続状態を確立する。ここで対応していない機器の場合は、ネゴシエーションがエラーとなり、プリンタ側ではＬＥＤを対応するエラー表示して処理を終了する。接続状態が確立すると、ステップＳ８に進む。
【００４１】
ステップＳ８では、デジタルカメラとの所定の通信規則により、予めデジタルカメラ内で撮影した写真の内で印刷する写真が選択されていて、この写真のデジタルカメラ内の記憶位置および順番を取得し、プリンタが順次、当該写真の写真データを取得し、プリンタ内のメモリへビットマップに展開し、さらにステップＳ６で取得された写真印刷領域のアルバム用紙Ｐ６上での位置情報を元に、プリンタ内の印刷バッファ内の写真印刷領域Ｐ２〜Ｐ４に対応した位置へステップＳ５で記憶された印刷情報内の画像補正情報を元に本アルバム用紙に最適になるように画像補正を施しながら順次コピーされ、ステップＳ５で記憶された印刷情報を元に印刷を行い、所定枚数印刷を行い処理を終了する。
【００４２】
また、図４に示すような文字列は、例えば、バーコードでも構わない。すなわち、スキャナで読取ったデータを解析して、デジタルデータに変換できる構成なら特に文字列でなくても構わない。
【００４３】
なお、上述した実施例においては、アルバム用紙について説明したが、他の定型用紙についても適用できることは明かである。
【００４４】
【発明の効果】
以上説明したように本発明によれば、自由にデザインされた各種のアルバム用紙の中から好みのアルバム用紙を購入し、例えばデジタルカメラとプリンタをつないで、デジタルカメラ内の写真を印刷するに際して、プリンタに付属のスキャナで予めアルバム用紙をスキャンして、アルバム用紙内の印刷情報および写真印刷位置を判別し、デジタルカメラ内の写真を順次、取得した写真位置に印刷するため、自由なデザインのアルバム用紙にも印刷できる効果がある。
【００４５】
また、アルバム用紙さえあれば、別にアルバム背景の記憶された高価な外部記憶カードが不要なため格安に簡単な操作で印刷ができる効果がある。
【図面の簡単な説明】
【図１】本発明の印刷装置の一実施例を示すシステム構成図である。
【図２】本発明の印刷装置の一実施例を示すブロック構成図である。
【図３】本発明の実施例における印刷装置の動作を説明するためのフローチャートを示す図である。
【図４】読み取られたデータ内の文字列の形態を示す図である。
【図５】本発明の実施例を説明するためのアルバム用紙を示す図である。
【符号の説明】
１１　デジタルカメラ
１２　プリンタ
１３　接続線
１４　電源ボタン
１５　リセットボタン
１６　アルバム読取ボタン
１７　ＬＥＤランプ
２１　アルバム用紙読取部
２２　印刷情報判別部
２３　印刷情報解析部
２４　印刷情報記憶部
２５　写真印刷領域位置取得部
２６　写真印刷位置記憶部
２７　通信部
２８　静止画データ取得部
２９　展開部
３０　印刷バッファ展開部
Ｐ１　印刷情報
Ｐ２〜Ｐ４　写真印刷領域
Ｐ５　背景イメージ
Ｐ６　アルバム用紙
Ｐ１２〜Ｐ１４　写真印刷領域矩形線
【図１】
2004114464.tif 000003
【図２】
2004114464.tif 000004
【図３】
2004114464.tif 000005
【図４】
2004114464.tif 000006
【図５】
2004114464.tif 000007